(57)【要約】      （修正有） 【課題】美感を向上させる非天然素材を用いたブーツを提供する。【解決手段】甲部及び胴部が少なくとも前面部にて継ぎ目無く一体化してなる非天然素材製の革部材１１ａ及び１１ｄから構成され、外部に露出する表革部１１Ｏと、甲部及び胴部に対応する部分をそれぞれ含む複数枚の非天然素材製の革部材１１ｂ及び１１ｃが少なくとも前面部にて縫合されてなる、表革部１１Ｏに積層される裏革部１１Ｉとを備え、表革部１１Ｏと裏革部１１Ｉとは、少なくとも裏革部１１Ｉの複数枚の革部材１１ｂ及び１１ｃの前面部のセンターシームＣＬ上にて接合されている。【選択図】図５
0003207485.tif 000002
【実用新案登録請求の範囲】
【請求項１】
甲部及び胴部が少なくとも前面にて継ぎ目無く一体化してなる非天然素材製の革部材から構成され、外部に露出する表革部と、
前記甲部及び前記胴部に対応する部分をそれぞれ含む複数枚の非天然素材製の革部材が少なくとも前面にて縫合されてなる、前記表革部に積層される裏革部とを備え、
前記表革部と前記裏革部とは、少なくとも前記裏革部の複数枚の前記革部材の前記前面の縫合線上にて接合されている、
ブーツ。
【請求項２】
前記裏革部の複数枚の前記革部材の前記前面の縫合線は、前記甲部及び前記胴部を左右に分割する向きに形成されている、
請求項１に記載のブーツ。
【請求項３】
前記裏革部と前記表革部は、前記胴部の履き口の周縁にて接合されており、
前記裏革部及び前記表革部の、前記裏革部の前記前面の縫合線上の接合位置及び前記周縁の接合位置で囲まれたそれぞれの対向面同士は接合されていない、
請求項１又は２に記載のブーツ。
【請求項４】
女性用ブーツである、
請求項１から３のいずれかに記載のブーツ。
【請求項５】
靴底に接合されるブーツのアッパーであって、
甲部及び胴部が少なくとも前面にて継ぎ目無く一体化してなる非天然素材製の革部材から構成され、外部に露出する表革部と、
前記甲部及び前記胴部に対応する部分をそれぞれ含む複数枚の非天然素材製の革部材が少なくとも前面にて縫合されてなる、前記表革部に積層される裏革部とを備え、
前記表革部と前記裏革部とは、少なくとも前記裏革部の複数枚の前記革部材の前記前面の縫合線上にて接合されている、
ブーツのアッパー。
【考案の詳細な説明】
【技術分野】
【０００１】
本考案は、例えば女性用ブーツのような、合成皮革、人工皮革等の非天然素材を材料とするブーツ及びブーツのアッパーに関する。
【背景技術】
【０００２】
ブーツは、着用者の足において脛その他くるぶしより身体寄りの部分を包む胴部と、くるぶしより指寄りの足先を包む足部より構成される。足部は更に、主に天然ゴムやウレタンゴム等の合成樹脂・発泡樹脂を材料とする靴底部、及び主に胴部と同一材料からなる甲部並びにヒール部より構成され、胴部及び甲部は天然皮革、又は合成皮革、人工皮革等の非天然素材、若しくは織布等の素材を所定形状に裁断して整形、接合することにより完成される。
【０００３】
ブーツはファッション性を目的として用いられることも多く、一例として、特許文献１には、胴部及び足部に渡って設けられたファスナーに着色模様を施して美感を向上させるとした構成が開示されている。
【先行技術文献】
【特許文献】
【０００４】
【特許文献１】特開２００５−１７１４４８号公報
【考案の概要】
【考案が解決しようとする課題】
【０００５】
しかしながら、上記従来のブーツには、以下のような課題があった。すなわち、ブーツの美感を向上させる手法としては、特許文献１に記載のような胴部や足部に別部材や着色による装飾を施す他に、材料である天然皮革又は非天然素材の質感をそのまま装飾として用いることが行われている。
【０００６】
しかしながら、非天然素材は天然皮革に比して柔軟性、伸縮性に乏しく、着用者の足形に対応するブーツの木型に追従して精度良く加工することが難しく、材料の質感を活かして美感を十分に向上させることが困難であった。
【０００７】
本考案は、上記の課題に鑑みてなされたものであり、非天然素材を用いたブーツにおいて美感を向上させることを目的とする。
【課題を解決するための手段】
【０００８】
上記の目的を達成するために、本考案の第１の側面は、甲部及び胴部が少なくとも前面にて継ぎ目無く一体化してなる非天然素材製の革部材から構成され、外部に露出する表革部と、前記甲部及び前記胴部に対応する部分をそれぞれ含む複数枚の非天然素材製の革部材が少なくとも前面にて縫合されてなる、前記表革部に積層される裏革部とを備え、前記表革部と前記裏革部とは、少なくとも前記裏革部の複数枚の前記革部材の前記前面の縫合線上にて接合されている、ブーツである。
【０００９】
本考案の第２の側面は、前記裏革部の複数枚の前記革部材の前記前面の縫合線は、前記甲部及び前記胴部を左右に分割する向きに形成されている、本考案の第１の側面のブーツである。
【００１０】
本考案の第３の側面は、前記裏革部と前記表革部は、前記胴部の履き口の周縁にて接合されており、前記裏革部及び前記表革部の、前記裏革部の前記前面の縫合線上の接合位置及び前記周縁の接合位置で囲まれたそれぞれの対向面同士は接合されていない、本考案の第１又は第２の側面のブーツである。
【００１１】
本考案の第４の側面は、女性用ブーツである、本考案の第１から第３のいずれかの側面のブーツである。
【００１２】
本考案の第５の側面は、靴底に接合されるブーツのアッパーであって、甲部及び胴部が少なくとも前面にて継ぎ目無く一体化してなる非天然素材製の革部材から構成され、外部に露出する表革部と、前記甲部及び前記胴部に対応する部分をそれぞれ含む複数枚の非天然素材製の革部材が少なくとも前面にて縫合されてなる、前記表革部に積層される裏革部とを備え、前記表革部と前記裏革部とは、少なくとも前記裏革部の複数枚の前記革部材の前記前面の縫合線上にて接合されている、ブーツのアッパーである。
【考案の効果】
【００１３】
本考案によれば、非天然素材を用いたブーツにおいて美感を向上させることが可能となる。
【図面の簡単な説明】
【００１４】
【図１】本考案の実施の形態に係るブーツの構成を示す斜視図である。
【図２】本考案の実施の形態に係るブーツの構成を示す内側面図である。
【図３】本考案の実施の形態に係るブーツの構成を示す外側面図である。
【図４】本考案の実施の形態に係るブーツの要部の構成を模式的に示す分解斜視図である。
【図５】本考案の実施の形態に係るブーツのアッパーの構成を模式的に示す分解斜視図である。
【考案を実施するための形態】
【００１５】
以下、本考案の実施の形態を、図面を参照して説明する。
【００１６】
図１は、本考案の実施の形態に係る女性用ブーツであるブーツ１の外観を示す斜視図であり、図２は同ブーツの内側面を示す側面図（内側面図）であり、図３は同ブーツの外側面を示す側面図（外側面図）である。ただし、ブーツ１において着用者の足に対して外向きとなる面を外側面と称し、内向きとなる面、すなわち他方の足と対向する側の面を内側面と称する。したがって外側面と内側面は、ブーツ１の爪先と踵を結ぶ直線に対してブーツ１を左右に区画する面としても定義される。
【００１７】
各図に示すように、本実施の形態に係るブーツ１は、着用者のくるぶしより上部を覆う胴部１０及び胴部１０から下方に位置して着用者のくるぶしから足先を覆う甲部２０を有するアッパー２、アッパー２の甲部２０に接合され、足裏を保護する靴底部３及び靴底部３に接合されるヒール部４を主要な構成として備える。アッパー２は合成皮革、人工皮革等の非天然素材を材料として作成される。靴底部３及びヒール部４は合成樹脂、合成ゴム、天然ゴム製等の材料により作成される。
【００１８】
アッパー２において、甲部２０の先端には、甲部２０の先端形状を形成するとともに足の爪先を保護するための先芯、後端部分には甲部２０の後端形状を形成するとともに足の踵を保護するための月形芯が、それぞれ設けられる。更に、アッパー２と靴底部３の間には足裏を保護するための中敷、中底が設けられる。ただし、図１〜３中においては先芯、月形芯、中敷及び中底等は甲部２０の内側に位置するため図示されない。
【００１９】
更に、アッパー２において、胴部１０の内側面側には、胴部１０の延出方向に沿って履き口１０ｘから甲部２０まで達する矩形のスリットＳＬが形成される。スリットＳＬ内には、スライダ１６の操作により胴部１０を開閉して着用者のブーツ１の装着を補助するためのファスナー１４が設けられる。更に、履き口１０ｘ内において、胴部１０の表面にはファスナー１４から胴部１０への砂、塵芥等の侵入を防ぐためのフラップ１５が縫着される。
【００２０】
更に、アッパー２は、胴部１０の履き口１０ｘ及び甲部２０の靴底部３との接合面が形成する空隙を両端とする漏斗類似の形状を形成し、胴部１０及び甲部２０を横断して内側面側に位置する縫着線１３にて、側面の両端が縫着されている。更に、胴部１０から甲部２０に渡って形成されたスリットＳＬの切り込みはその先端が靴底部３の手前で止まっていることにより、甲部２０は爪先側と踵側とが一体化している。
【００２１】
これにより、アッパー２は、縫着線１３及びスリットＳＬを境界として爪先側の前面部１１Ｆ、踵側の後面部１１Ｒに区画される。
【００２２】
前面部１１Ｆは甲部２０において着用者の足の爪先部分及び甲部分を含むとともに、胴部１０において着用者の脛下方を覆う部分である。また、後面部１１Ｒは甲部２０において着用者の踵部分を含むとともに、胴部１０において着用者の踵上方を覆う部分である。
【００２３】
次に、図４はブーツ１の要部としてのアッパー２及び靴底部３の構成を模式的に示す分解斜視図である。図４に示すように、前面部１１Ｆは、外側に位置して外部に露出する革部材１１ａと、革部材１１ａに積層される革部材１１ｂ及び１１ｃとから構成される。また、後面部１１Ｒも前面部１１Ｆ同様に革部材の積層体として構成されるが、図４においては積層後の状態として示した。ただし、図４においては、革部材１１ａは、説明の便宜上、甲部２０においてスリットＳＬにて後面部１１Ｒと分割された態様として示したが、実際は図２に示すように結合されており、革部材１１ａの構成については後に詳述する。
【００２４】
前面部１１Ｆにおいては、ブーツ１の製造工程におけるアッパー２の吊り込み作業及びアッパー２と靴底部３との接合作業において、革部材１１ａの縁端が折り線ＦＬ１にて靴底部３の表面３ｘの中央に向かって折り返されてなる折り返し面１１ｘ１が形成される。
【００２５】
また、革部材１１ｂ及び１１ｃはそれぞれ革部材１１ａの左右、すなわち外側面及び内側面を略二等分してなる形状を備え、それぞれ折り線ＦＬ２及びＦＬ３にて靴底部３の表面３ｘの中央に向かって折り返されてなる折り返し面１１ｘ２及び１１ｘ３を有する。折り返し面１１ｘ２及び１１ｘ３はそれぞれ革部材１１ａの折り返し面１１ｘ１に積層されている。
【００２６】
更に、革部材１１ｂ及び１１ｃはそれぞれの側縁１１ｙ１及び１１ｙ２にて、例えば地縫いにより縫合されており、側縁１１ｙ１及び１１ｙ２の縫合線（センターシーム）ＣＬは、図１中の一点鎖線に示すように、革部材１１ａからは目視されない仮想線として前面部１１Ｆの略中央に位置して、前面部１１Ｆを左右、すなわち内側面側、外側面側に分割している。
【００２７】
以上の構成において、革部材１１ａは本考案の表革部の一部を構成する革部材に相当し、革部材１１ｂ及び１１ｃは本考案の裏革部の複数の革部材に相当する。また、アッパー２を構成する胴部１０及び甲部２０は本考案の胴部及び甲部にそれぞれ相当する。また、前面部１１Ｆは本考案の前面に相当する。また、革部材１１ｂ及び１１ｃの側縁１１ｙ１及び１１ｙ２のセンターシームは本考案の縫合線に相当する。
【００２８】
このような構成を有する本考案の実施の形態によるブーツ１は、アッパー２の胴部１０及び甲部２０において、前面部１１Ｆの構成を、センターシームＣＬにて左右に分割される革部材１１ｂ及び１１ｃよりなる裏革部と、革部材１１ａ単体でなる表革部とから構成するとともに、裏革部と表革部とをセンターシームＣＬに沿って接合したことを特徴とする。
【００２９】
以下、図５を併せて参照して、更に説明を行う。ただし、図５はブーツ１のアッパー２の構成を示す分解斜視図である。
【００３０】
図５に示すように、アッパー２は、ブーツ１の表面として外部に露出する表革部１１Ｏと、表革部１１Ｏに積層される裏革部１１Ｉとから構成される。
【００３１】
表革部１１Ｏは、上述のように、スリットＳＬの下方にて継ぎ目無く連続して一体化している革部材１１ａ及び革部材１１ｄの組合せとして構成され、裏革部１１Ｉは、それぞれ独立した革部材１１ｂ、革部材１１ｃ及び１１ｅの組合せとして、表革部１１Ｏと略同一の外形を有するものとして構成される。更に、アッパー２の前面部１１Ｆは、表革部１１Ｏの革部材１１ａ及び裏革部１１Ｉの革部材１１ｂ、革部材１１ｃにより構成され、後面部１１Ｒは、表革部１１Ｏの革部材１１ｄ及び裏革部１１Ｉの革部材１１ｅにより構成される。
【００３２】
裏革部１１Ｉを構成する革部材１１ｂ、革部材１１ｃ及び革部材１１ｅは、それぞれ型紙に基づき所定形状に裁断された非天然素材のシートを、胴部１０の長手方向に延出してなる側縁である、側縁１１ｙ１及び１１ｙ２、側縁Ｅ３及びＥ４並びに側縁Ｅ５及びＥ６にてそれぞれ接合し、クリッピング等を行うことにより、履き口１０ｘ及び靴底部３と対向する周縁を一対の開口とする漏斗類似の形状に成形される。
【００３３】
表革部１１Ｏは、型紙に基づき革部材１１ａ及び１１ｄを一体化して含んだ所定形状に裁断された非天然素材のシートを、胴部１０の長手方向に延出してなる側縁である、前面部１１Ｆに対応する革部材１１ａの側縁Ｅ１と、後面部１１Ｒに対応する革部材１１ｄの側縁Ｅ２にて接合することにより、裏革部１１Ｉと同様、履き口１０ｘ及び靴底部３と対向する周縁を一対の開口とする漏斗類似の形状に成形される。
【００３４】
更に、裏革部１１Ｉの周縁、すなわちスリットＳＬの周囲を含めた履き口１０ｘの周囲は、閉曲線態様の接合面Ｃ０として、接着、溶着又は縫着等の手段により表革部１１Ｏに接合される。更に、裏革部１１Ｉと表革部１１Ｏとは、革部材１１ｂと革部材１１ｃとのセンターシームＣＬに沿って形成された接合面Ｃ１にて、接合面Ｃ０と同様の手段により接合される。
【００３５】
したがって、裏革部１１Ｉ及び表革部１１Ｏは、履き口１０ｘの周囲同士が接合されるとともに、前面部１１Ｆにおいて仮想線である図中二点鎖線により示すセンターシームＣＬに沿って接合され、残りの対向面は接合されない状態を保ったアッパー２として一体化される。なお、図５においては、表革部１１Ｏにおいて裏革部１１Ｉとの接合面と非接合状態の対向面との境界ＢＬは図中点線により示した。
【００３６】
このようなアッパー２は、胴部１０及び甲部２０に対応した形状を有する木型を用いて吊り込みされることにより、裏革部１１Ｉ及び表革部１１Ｏの下端がそれぞれ折り返し面１１ｘ２〜１１ｘ３及び折り返し面１１ｘ１として形成される。折り返し面１１ｘ１は折り返し面１１ｘ２〜１１ｘ３と積層された状態で靴底部３の表面３ｘに接合することにより、ブーツ１の慨形が完成される。なお、本実施の形態の説明においては、中敷、中底、先芯及び月形芯の組込み工程は、吊り込み工程の前後又は中途において周知慣用の技術、工程に従って行うことができ、詳細は省略した。
【００３７】
このような本考案のブーツ１においては、アッパー２において、裏革部１１Ｉと表革部１１Ｏとが、革部材１１ｂと革部材１１ｃとのセンターシームＣＬに沿って形成された接合面Ｃ１にて接合されることにより、完成後のブーツ１の前面部１１Ｆは革部材の縫合線や重なり部分等が露出せず、単一の素材の表面のみで構成される。
【００３８】
更に、アッパー２は、接合面Ｃ１にてセンターシームＣＬの周縁が固定した状態で吊り込みが行われるため、表革部１１Ｏの表面は、センターシームＣＬから木型の表面形状に追従して、皺やだぶつきの発生が抑えられた滑らかな状態に整えられる。
【００３９】
これは以下の理由に基づく。すなわち、合成皮革等の非天然素材は天然皮革に対して柔軟性、伸縮性に乏しいため、ブーツのアッパーに用いた場合、吊り込み時に木型になじみにくく、表面に皺やだぶつきが生じやすい。とりわけ、図３に示すように、ブーツ１は、センターシームＣＬを含む、胴部１０の表面Ｒ１と甲部２０の表面Ｒ２との境界で曲面の変化が大きくなる。このセンターシームＣＬ近傍におけるアッパー表面の曲率の変化は、図１中に矢印Ｄ１にて示すブーツ１の前後方向及び同図中矢印Ｄ２にて示す幅（左右）方向の双方に渡って生じるもので、革部材の皺やだぶつきが集中し易い箇所となっていた。
【００４０】
本考案は、上記の考察に鑑みてなされたものであり、裏革部１１Ｉを、外側面側と内側面側とで革部材１１ｂと革部材１１ｃに二分した構成としたことにより、吊り込みにより革部材に張力が加えられる箇所をセンターシームＣＬ近傍から避け、ブーツ１の前後方向に沿った変形が予め抑えられることで、木型の表面形状になじみ易くしている。
【００４１】
更に、裏革部１１Ｉと表革部１１Ｏとは、センターシームＣＬに沿った細帯状の接合面Ｃ１にて接合されることにより、吊り込みによる表革部１１Ｏの変形も、センターシームＣＬ近傍を迂回してブーツ１の前後方向に沿った向きには予め抑えられ、裏革部１１Ｉの革部材１１ｂ及び革部材１１ｃに対応するそれぞれの面上で専ら幅方向に沿ってなされることとなり、革部材の皺やだぶつきの発生が抑えられることとなる。
【００４２】
更に、裏革部１１Ｉと表革部１１Ｏと対向面Ｓは接合されておらず、吊り込みにおいて裏革部１１Ｉと表革部１１Ｏとは木型上を靴底部３側に向かって独立して引っ張られることとなり、木型への表面によりなじみやすく調整することが可能となる。
【００４３】
以上のことから、表革部１１Ｏは、滑らかな状態に整えられた単一の素材の表面として得られることとなり、ブーツ１は、元の材料の質感を活かして美感を十分に向上させることが可能となる。とりわけ、非天然素材としての合成皮革、天然皮革は人為的に風合いをコントロールした表面を得易く、ひいては、天然皮革に比して安価で美感を一層向上させたブーツを提供できることとなる。
【００４４】
このように、本考案の実施の形態によるブーツ１は、アッパー２の胴部１０及び甲部２０において、前面部１１Ｆを、裏革部１１ＩをセンターシームＣＬにて内側と外側に分割される革部材１１ｂ及び１１ｃにより構成するとともに、表革部１１Ｏを革部材１１ａ単体で構成し、更に裏革部１１Ｉと表革部１１ＯとをセンターシームＣＬに沿って接合したことにより、非天然素材を用いたブーツにおいて美感を向上させることが可能となる。
【００４５】
しかしながら、本考案は上記の構成に限定されるものではない。
【００４６】
上記の説明においては、アッパー２の前面部１１Ｆにおいて、裏革部１１Ｉは革部材１１ａの左右、すなわち外側面及び内側面をセンターシームＣＬにて分割する革部材１１ｂ及び１１ｃから構成されるものとしたが、本考案の複数の革部材の前面の縫合線の位置は、ブーツの甲部及び胴部を左右に分割することができれば、中央から左右いずれかにシフトした任意の位置であってよい。更に、裏革部１１Ｉは３枚以上の革部材から構成されるものとしてもよい。
【００４７】
更に、上記の説明においては、アッパー２の表革部１１Ｏの分割位置は、ファスナー１４が配設されるスリットＳＬの反対側である外側面側であるとしたが、スリットＳＬを設けた側としてもよい。更に、表革部１１Ｏは、裏革部１１Ｉと同様、前後で２つに分割、更には３つ以上に分割されていてもよい。要するに、本考案の表革部は、甲部及び胴部が少なくとも前面にて継ぎ目無く一体化してなるものであればよく、本考案の特徴以外の表革部の具体的な構成によって限定されるものではない。
【００４８】
更に、上記の説明においては、ブーツ１はファスナー１４により胴部１０が開閉されるものとしたが、胴部１０はスナップ、紐等により開閉されるのであってもよく、さらに胴部１０は開閉のための構成を有さず、アッパー単体で構成されるのとしてもよい。要するに、本考案は、胴部と甲部とが一体化したブーツであればよく、胴部及び甲部それぞれの、本考案の特徴以外の具体的な構成によって限定されるものではない。
【００４９】
更に、上記の説明においては、アッパー２の材料である非天然素材として、人工皮革、人造皮革を例に挙げたが、本考案の非天然素材は、その他に合成繊維、ポリ塩化ビニル等の合成樹脂であってもよい。
【００５０】
また、上記の説明においては、本考案のブーツは女性用であるとしたが、紳士用、子供用であるとしてもよい。しかしながら、着用者の足の甲に当たる位置の美感を向上させる効果を奏することから、特に婦人用としての実施に好適である。
【００５１】
また、上記の説明においては、本考案は完成したブーツ１であるとして説明を行ったが、本考案はアッパー２を単体として実施してもよい。
【００５２】
要するに、本考案は、その要旨を逸脱しない範囲内であれば、上記実施の形態に種々の変更を加えた形態で実施してもよい。
【産業上の利用可能性】
【００５３】
以上のような本考案によれば、非天然素材を用いたブーツにおいて美感を向上させることが可能となるという効果を有し、一例としては、女性用ブーツに好適である。
【符号の説明】
【００５４】
１  ブーツ
２  アッパー
３  靴底部
４  ヒール部
１０  胴部
１０ｘ  口
１１Ｆ  前面部
１１Ｉ  裏革部
１１Ｏ  表革部
１１Ｒ  後面部
１１ａ〜１１ｅ  革部材
１１ｘ１〜１１ｘ３  折り返し面
１３  縫着線
１４  ファスナー
１５  フラップ
１６  スライダ
２０  甲部
Ｃ０、Ｃ１  接合面
Ｅ１〜Ｅ５、１１ｙ１、１１ｙ２  側縁
Ｒ１、Ｒ２、３ｘ  表面
ＢＬ  境界
ＣＬ  縫合線、センターシーム
ＦＬ１〜ＦＬ３  折り線
ＳＬ  スリット
【図１】
0003207485.tif 000003
【図２】
0003207485.tif 000004
【図３】
0003207485.tif 000005
【図４】
0003207485.tif 000006
【図５】
0003207485.tif 000007